(57)【要約】【課題】低音が遊技機枠の前側に適切に提供される。【解決手段】低音スピーカ３０の前側に放出された音が筒状のスピーカ設置部６３から前面パネル５２と後面パネル５３およびフレーム５４で囲まれた閉鎖空間Ｄをエンクロージャとして利用してバスレフダクト部７２とバスレフ開口部５５および低音放音孔部５０を順に経由して前扉４の下部前側に放出され、スピーカ逃避部４６が遊技盤３６に設けられ、低音スピーカ３０がスピーカ設置部６３やパネル構造体２７から後側に突出しても、遊技盤３６の前面である遊技領域と後面パネル５３の裏面との間における球Ｐの落下する隙間９４を適切に確保することができる。【選択図】図１
2007175100.tif 000002
【特許請求の範囲】
【請求項１】
遊技機枠の前扉が前後方向に貫通する窓を裏側からパネル構造体で塞ぐ構造であり、パネル構造体は窓側の前面パネルと後側の後面パネルとを前後方向に離れて相対峙するようにフレームで支持して前面パネルと後面パネルとフレームとで囲まれた閉鎖空間を備えた構造であり、フレームにはスピーカ設置部とバスレフ開口部およびバスレフダクト部が設けられ、スピーカ設置部は後面パネルよりも外側に位置して前後方向に貫通する筒状に構成され、バスレフ開口部はパネル構造体の前面にスピーカ設置部と異なる位置で開口し、低音スピーカがコーンを前側に向けてスピーカ設置部に取り付けられ、バスレフダクト部はスピーカ設置部ならびに前面パネルと後面パネルおよびフレームで囲まれた閉鎖空間ならびにバスレフ開口部を相互に繋ぐ空気の振動による音の伝達路を形成し、前扉の前面にはバスレフ開口部に繋がる低音放音孔部が設けられ、遊技盤がパネル構造体よりも裏側に配置されて遊技機枠に取り付けられ、遊技盤には低音スピーカを逃げるためのスピーカ逃避部が設けられたことを特徴とする遊技音響装置。
【発明の詳細な説明】
【技術分野】
【０００１】
本発明は、低音が遊技機枠の前側に適切に提供される遊技音響装置に関する。
【背景技術】
【０００２】
遊技音響装置には、次のような構造のものが知られている。その１つは、遊技機枠の裏側にスピーカとエンクロージャとが一体になったスピーカ構造体を設け、エンクロージャの音をパイプで遊技機枠の前側に誘導して放出するようにした構造であるが、この場合、スピーカ構造体のほかにパイプが必要で、構造が複雑となるという欠点がある。もう１つは、前扉のガラスを振動板として利用した構造であるが、この場合、ガラスの共振周波数が数百ヘルツであるため、低音再生用として使用するには適切でないという欠点がある。さらにもう１つは、圧電式のスピーカを前扉のガラスに接触した構造であるが、この場合、ガラスの共振周波数が数百ヘルツであるため、低音再生用として使用するには適切でないという欠点がある。最後の１つは、圧電式のスピーカを前扉に貼り付けた構造であるが、この場合、ガラスの共振周波数が数百ヘルツであるため、低音再生用として使用するには適切でないという欠点がある。
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、音による遊技の演出が遊技機枠の前側に適切に提供できないという点である。
【課題を解決するための手段】
【０００４】
本発明に係る遊技音響装置は、遊技機枠の前扉が前後方向に貫通する窓を裏側からパネル構造体で塞ぐ構造であり、パネル構造体は窓側の前面パネルと後側の後面パネルとを前後方向に離れて相対峙するようにフレームで支持して前面パネルと後面パネルとフレームとで囲まれた閉鎖空間を備えた構造であり、フレームにはスピーカ設置部とバスレフ開口部およびバスレフダクト部が設けられ、スピーカ設置部は後面パネルよりも外側に位置して前後方向に貫通する筒状に構成され、バスレフ開口部はパネル構造体の前面にスピーカ設置部と異なる位置で開口し、低音スピーカがコーンを前側に向けてスピーカ設置部に取り付けられ、バスレフダクト部はスピーカ設置部ならびに前面パネルと後面パネルおよびフレームで囲まれた閉鎖空間ならびにバスレフ開口部を相互に繋ぐ空気の振動による音の伝達路を形成し、前扉の前面にはバスレフ開口部に繋がる低音放音孔部が設けられ、遊技盤がパネル構造体よりも裏側に配置されて遊技機枠に取り付けられ、遊技盤には低音スピーカを逃げるためのスピーカ逃避部が設けられたことを最も主要な特徴とする。
【発明の効果】
【０００５】
本発明に係る遊技音響装置は、低音スピーカのコーンから前側に放出された音が筒状のスピーカ設置部から前面パネルと後面パネルおよびフレームで囲まれた閉鎖空間をエンクロージャとして利用してバスレフダクト部とバスレフ開口部および低音放音孔部を順に経由して前扉の前側に放出されるので、低音による遊技の演出が遊技機枠の前側で遊技を行う遊技者に適切に提供されるという利点があるうえ、スピーカ逃避部が遊技盤に設けられているので、低音スピーカがスピーカ設置部やパネル構造体から後側に突出しても、遊技盤の前面である遊技領域と後面パネルの裏面との間における球の落下する隙間を適切に確保することができるという利点がある。
【発明を実施するための最良の形態】
【０００６】
図１乃至図６は、発明を実施するための最良の形態である。図１は、遊技機枠１に設けられた遊技音響装置を図３に示すＡ−Ａ線に沿い切断した断面を示す。図２は、パチンコ遊技機の遊技機枠１および遊技盤３６を分解して示す。図３は、パチンコ遊技機の正面を示す。図４は、前扉４およびパネル構造体２７を分解して示す。図５は、パネル構造体２７における前面パネル５２、後面パネル５３、フレーム５４、スピーカ前カバー６７を分解して示す。図６は、パネル構造体２７における低音スピーカ３０、後面パネル５３、フレーム５４、ダクトカバー７７、スピーカ後カバー９０を分解して示す。本明細書において、「前」、「表」、「後」、「裏」、「左」、「右」、「上」、「下」の方向は、図２の状態に遊技機枠１および遊技盤３６を置いて矢印Ｓで示す前側から見た場合に特定される方向である。「前」および「表」は同じ方向である。「後」および「裏」は同じ方向である。
【０００７】
図１を参照し、遊技音響装置の構造について説明する。遊技音響装置が設けられる遊技機枠１としてパチンコ遊技機の遊技機枠１を例として説明する。遊技機枠１の前扉４が窓２４およびパネル構造体２７を備え、パネル構造体２７が窓２４の側に位置する前面パネル５２と後側の後面パネル５３とを前後方向に離れて相対峙するようにフレーム５４で支持して前面パネル５２と後面パネル５３とフレームとで囲まれた閉鎖空間Ｄを備え、フレーム５４にはスピーカ設置部６３とバスレフ開口部５５およびバスレフダクト部７２が設けられ、スピーカ設置部６３は後面パネル５３よりも外側に位置して前後方向に貫通する筒状に構成され、バスレフ開口部５５はフレーム５４の前面にスピーカ設置部６３と異なる位置で開口し、低音スピーカ３０がコーン８３を前側に向けてスピーカ設置部６３に取り付けられ、バスレフダクト部７２はスピーカ設置部６３ならびに閉鎖空間Ｄならびにバスレフ開口部５５を相互に繋ぐ空気の振動による音の伝達路を形成し、前扉４の前面にはバスレフ開口部５５に繋がる低音放音孔部５０が設けられ、遊技盤３６がパネル構造体２７よりも裏側に配置されて遊技機枠１の盤収容部７に取り付けられ、遊技盤３６には低音スピーカ３０を逃げるためのスピーカ逃避部４６が設けられている。よって、低音スピーカ３０がスピーカ設置部６３やパネル構造体２７から後側に突出しても、遊技盤３６の前面である遊技領域と後面パネル５３の裏面との間における球Ｐの落下する隙間９４が適切に確保できるという利点がある。また、低音スピーカ３０から前側に放出された低音は、スピーカ設置部６３から閉鎖空間Ｄ、バスレフダクト部７２、バスレフ開口部５５、低音放音孔部５０を順に経由して前扉４の下部から前側に放出されるという利点がある。
【０００８】
図２を参照し、パチンコ遊技機の構造について説明する。遊技機枠１は、固定枠２の前側に可動枠３を開閉可能に備え、可動枠３の前側に前扉４および皿構造体５を開閉可能に備える。固定枠２は、パチンコ遊技機を設置する遊技店の島と呼ばれる遊技機設置設備に固定される外枠とも呼ばれる。可動枠３は、遊技盤３６や図外の制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能であって、盤収容部７、中央開口部８、盤後側押出部９、盤前側受止部１０、盤掛止操作体１１、盤棚１２、球発射機構１３、球発射レール１４、戻り球取入口１５、前横樋１６、機外排出樋１７、施錠装置１８、掛止機構１９；２０；２１および掛止解除操作体２２が設けられる。盤収容部７は、遊技盤３６を可動枠３の前側から格納させるように、前側に開口した方形な箱形である。中央開口部８は、盤収容部７の背壁に、前後方向への貫通孔として形成される。
【０００９】
盤後側押出部９は、遊技盤３６を前側に押す板ばねのような弾性体である。盤前側受止部１０は、盤後側押出部９で前側に押された遊技盤３６を受け止める突起である。盤後側押出部９が後側で盤前側受止部１０が前側となるように、盤後側押出部９および盤前側受止部１０が盤収容部７の左側部に設けられる。盤掛止操作体１１は、盤収容部７の背壁から前側に突出し、盤収容部７の背壁と平行な方向に回転可能に、盤収容部７の右側部に設けられる。盤棚１２は、遊技盤３６を搭載する左右方向に平坦な面として、盤収容部７の下縁部により形成される。球発射機構１３、球発射レール１４、戻り球取入口１５、前横樋１６は、盤棚１２から下側に延設された前壁の前面に設けられる。機外排出樋１７は、盤棚１２から下側に延設された前壁の裏面に設けられる。施錠装置１８、掛止機構１９；２０；２１、掛止解除操作体２２は、可動枠３の右側部に設けられる。
【００１０】
前扉４および皿構造体５は、個別に、左側に位置するヒンジ２３を中心とし、可動枠３の前側で前側に開かれかつ後側に閉じられるように、片開き可能である。前扉４は、パネル枠とも呼ばれ、前後方向に貫通する窓２４を囲む額縁形状である。前扉４の裏面には、パネル構造体２７および掛止部材２８が設けられる。パネル構造体２７は、左側に位置するヒンジ２９を中心とし、前扉４の裏側で裏側に開かれかつ前側に閉じられるように、片開き可能である。パネル構造体２７が閉じられて前扉４に掛止部材２８で開閉不能に支持されると、パネル構造体２７が窓２４を裏側から塞ぐ。パネル構造体２７には、低音スピーカ３０が設けられる。低音スピーカ３０がパネル構造体２７に設けられる構造は、図３乃至図６で後述する。
【００１１】
皿構造体５の前面には、受皿部３１および発射操作機構３２が設けられる。皿構造体５の裏面には、球取入口３３および球供給口３４が設けられる。皿構造体５が閉じられた場合、球発射機構１３と球発射レール１４と戻り球取入口１５および前横樋１６が、皿構造体５で覆い隠される。可動枠３が閉じられて固定枠２に掛止機構１９で開閉不能に支持され、前扉４および皿構造体５が閉じられて可動枠３に掛止機構２０；２１で開閉不能に支持された状態において、遊技店の店員が図外のキープレート（鍵）を遊技機枠１の前側から施錠装置１８の鍵穴に挿入し、当該キープレートを例えば右側に９０度回転操作すると、固定枠２と可動枠３との掛止機構１９による支持形態が解除される。この支持形態の解除後に、遊技店の店員が可動枠３を前側に引くことによって、可動枠３はヒンジ６を中心として前側に片開きされる。また、上記施錠装置１８の鍵穴に挿入されたキープレートが例えば左側に９０度回転操作されると、可動枠３と前扉４との掛止機構２０による支持形態が解除される。この支持形態の解除後に、遊技店の店員が前扉４を前側に引くことによって、前扉４はヒンジ２３を中心として前側に片開きされる。
【００１２】
遊技盤３６の遊技領域は、遊技盤３６の前面の内ガイドレール３７および外ガイドレール３８で囲まれた内側の部分であって、遊技機枠１の前側から窓２４およびパネル構造体２７を経由して視認される。遊技領域には、入賞部品３９、センター飾り４０、アウト口４１、発射通路４２、図外の遊技釘その他遊技部品が設けられる。発射通路４２は、内ガイドレール３７の左側部と外ガイドレール３８の左側部との間の隙間によって形成される。入賞部品３９は、一般入賞部品、始動入賞部品、可変入賞部品などである。その他遊技部品とは、風車、サイドランプ、フィギャー、キャラクター、保留数表示器などである。遊技盤３６の右側部には、取付部４３が上下に分かれて設けられる。取付部４３には、取付孔４４が前後方向への貫通孔として設けられる。下部の取付部４３は、遊技盤３６の前面に設けられた証紙台４５が閉じられると、証紙台４５で覆い隠される。遊技盤３６の左上隅部が除去されてスピーカ逃避部４６を構成する。
【００１３】
そして、前扉４が少なくとも前側に開かれた状態において、遊技盤３６の左側部が可動枠３の前側から盤後側押出部９と盤前側受止部１０との間に挿入され、遊技盤３６の右側部が遊技店の店員によって前側から後側に押され、盤掛止操作体１１が遊技盤３６の裏側から取付孔４４に挿入され、遊技店の店員が遊技盤３６の前側に突出した盤掛止操作体１１を例えば９０度回転操作することによって、盤掛止操作体１１が遊技盤３６の前面に掛け止められ、遊技盤３６の遊技領域が前側に向けられ、遊技盤３６が可動枠３の内部における盤収容部７に装着される。そして、前扉４が閉じられた場合、低音スピーカ３０の後部が遊技盤３６の前側からスピーカ逃避部４６を経由して遊技盤３６の裏側に突出する。閉じられた前扉４が可動枠３に掛止機構２０で開閉不能に支持されることによって、遊技盤３６の遊技領域が遊技機枠１の窓２４およびパネル構造体２７を通して見える形態となる。その後、遊技店の店員がキープレートを施錠装置１８の鍵穴から前側に抜き取る。
【００１４】
図３を参照し、前扉４および皿構造体５が閉じられた遊技機枠１の正面の構造について説明する。前扉４の前面には、低音放音孔部５０が、窓２４よりも下部で左右に分かれて設けられる。そして、図外の制御装置が電力供給を受けて起動し、パチンコ球と呼ばれる球が受皿部３１に入れられ、遊技者が発射操作機構３２を操作し、発射操作機構３２から操作量に相当する電気的な出力が制御装置に入力され、制御装置が球発射機構１３を駆動すると、球発射機構１３が受皿部３１から球供給口３４を経由して球発射レール１４に供給された球を１個ずつ発射操作機構３２による操作量に応じた機械的な出力で遊技盤３６の遊技領域に向けて発射する。遊技領域に発射された球が入賞部品３９に入賞し、図外の球検出器が入賞部品３９に入賞した球を検出した入賞信号を制御装置に出力し、制御装置が入賞信号に基づき低音スピーカ３０を駆動すると、低音が前扉４の下部における低音放音孔部５０から前側に放出される。
【００１５】
図４を参照し、パネル構造体２７の概略構造について説明する。パネル構造体２７は、低音スピーカ３０、前面パネル５２、後面パネル５３、フレーム５４、バスレフ開口部５５を備える。前面パネル５２は、窓２４の裏側に配置されかつ窓２４を塞ぐ大きさのガラス板により構成される。後面パネル５３は、前面パネル５２の後側に配置されかつ窓２４を塞ぐ大きさのガラス板により構成される。パネル構造体２７が前扉４の裏面に取り付けられた場合、バスレフ開口部５５が、低音放音孔部５０と繋がるように、パネル構造体２７の下部に設けられる。
【００１６】
図５を参照し、パネル構造体２７の前側からの内部構造について説明する。前面パネル５２には、張出部５６が左上部に設けられる。前面パネル５２の裏面と後面パネル５３の前面とが互いに重なるように、前面パネル５２と仮想線Ｌ１で示す後面パネル５３とが互いに重ねられた場合、張出部５６が後面パネル５３よりも外側に突出する。よって、前面パネル５２は、張出部５６の部分だけ、後面パネル５３よりも大形な板状である。フレーム５４は、合成樹脂、アルミニウム合金またはマグネシウム合金などの軽金属により、バスレフ開口部５５、フレーム基盤５７、透視開口部５８、前パネル収容部５９、ヒンジブラケット６０、ヒンジピン６１、掛止受止部６２、スピーカ設置部６３、前カバー取付部６４、前パネル支持体６５などを一体に備えた形状に形成される。フレーム基盤５７は、前面パネル５２および後面パネル５３よりも大形な外形を有する。透視開口部５８は、図４の窓２４よりも大きな相似形で、前後方向への貫通孔として、フレーム基盤５７に設けられる。前パネル収容部５９は、透視開口部５８を縁取るように囲み、フレーム基盤５７の前面と透視開口部５８とに開口し、フレーム基盤５７の前面から内部への窪みとして、フレーム基盤５７に設けられる。前パネル収容部５９の外周は、前面パネル５２が前パネル収容部５９に取り込まれるように前面パネル５２の外周と同じ大きさであるが、前面パネル５２が前パネル収容部５９に接着剤で接着される場合は、前パネル収容部５９は、前面パネル５２よりも接着剤の厚さだけ大きい。前パネル収容部５９におけるフレーム基盤５７の前面から内部に窪む寸法は、前面パネル５２の前後方向の寸法である厚さと同じである。前面パネル５２がフレーム５４の前側から透視開口部５８の前側を塞ぐようにフレーム５４に装着されることによって、前面パネル５２の周縁部が前パネル収容部５９に嵌め込まれて接着剤で固定される。
【００１７】
ヒンジブラケット６０は、フレーム５４の左側部に設けられ、フレーム５４の左側部から左側に突出しかつ上下に分かれる。ヒンジピン６１は、ヒンジブラケット６０に個別に設けられ、ヒンジブラケット６０から下方に突出する。掛止受止部６２は、フレーム５４の右側部に設けられ、フレーム５４の右側部から右側に突出しかつ上下に分かれる。スピーカ設置部６３は、フレーム基盤５７の左上部に、前パネル収容部５９の内外に跨り、前後方向に貫通する筒状に設けられる。前カバー取付部６４は、スピーカ設置部６３のフレーム基盤５７よりも外側に突出する部分に設けられる。前パネル支持体６５は、前面パネル５２を受け止めるものであって、透視開口部５８とスピーカ設置部６３との間における透視開口縁部６６に、透視開口縁部６６の周方向に離れて複数設けられ、透視開口縁部６６から前側に突出した突起である。
【００１８】
スピーカ設置部６３の前面には、スピーカ前カバー６７が取り付けられる。スピーカ前カバー６７は、スピーカ設置部６３のフレーム基盤５７よりも外側に突出する部分における貫通孔を被覆する大きさの板状である。スピーカ前カバー６７には、取付孔６８がねじを挿入するための前後方向への貫通孔として設けられる。そして、スピーカ前カバー６７がフレーム５４の前側からフレーム基盤５７よりも外側に突出する部分における貫通孔を被覆するようにスピーカ設置部６３に配置され、タッピングスクリューのような止ねじ６９が取付孔６８を経由して前カバー取付部６４に締結される。これによって、スピーカ前カバー６７がスピーカ設置部６３のフレーム５４よりも外側に突出する部分を音漏れしないように塞ぐ。
【００１９】
図６を参照し、パネル構造体２７の裏側からの内部構造について説明する。フレーム５４には、後パネル収容部７１、バスレフダクト部７２が設けられる。後パネル収容部７１は、透視開口部５８を縁取るように囲み、フレーム基盤５７の裏面と透視開口部５８とに開口し、フレーム基盤５７の後面から内部への窪みとして、フレーム基盤５７に設けられる。後パネル収容部７１の外周は、後面パネル５３が後パネル収容部７１に取り込まれるように後面パネル５３の外周と同じ大きさであるが、後面パネル５３が後パネル収容部７１に接着剤で接着される場合は、後パネル収容部７１は、後面パネル５３よりも接着剤の厚さだけ大きい。後パネル収容部７１のフレーム基盤５７の裏面から内部に窪む寸法は、後面パネル５３の前後方向の寸法である厚さと同じである。後面パネル５３がフレーム５４の裏側から透視開口部５８の裏側を塞ぐようにフレーム５４に装着されることによって、後面パネル５３の周縁部が後パネル収容部７１に嵌め込まれて接着剤で固定される。
【００２０】
バスレフダクト部７２は、除去部７３と隔壁７４および導入部７５によって、スピーカ設置部６３、前面パネル５２と後面パネル５３およびフレーム５４で囲まれた閉鎖空間Ｄ、バスレフ開口部５５を相互に繋ぐ、空気の振動による音の矢印Ｘ１で示す伝達路を形成する。除去部７３は、後パネル収容部７１における左下部および右下部が取り除かれたことによって、フレーム基盤５７の裏面から前側内部への窪みとして、透視開口部５８の周縁部を残す形状に構成される。隔壁７４は、除去部７３によってフレーム基盤５７に残された透視開口部５８の周縁部の裏面から裏側に突出し、バスレフ開口部５５を囲む突条である。導入部７５は、隔壁７４の上部が除去部７３の透視開口部５８に繋がるように取り除かれたことによって形成される。除去部７３には、ダクトカバー取付部７６が筒状の突起として設けられる。
【００２１】
フレーム５４の裏面には、ダクトカバー７７が取り付けられる。ダクトカバー７７は、除去部７３と隔壁７４および導入部７５を全体的に被覆する大きさの板状である。ダクトカバー７７には、後パネル収容部７８および取付孔７９が設けられる。後パネル収容部７８は、ダクトカバー７７がフレーム５４に取り付けられた場合、後パネル収容部７１に繋がる部分である。取付孔７９は、ねじを挿入するための前後方向への貫通孔である。そして、ダクトカバー７７がフレーム５４の後側から除去部７３と隔壁７４および導入部７５を被覆するようにフレーム５４の裏面に配置され、タッピングスクリューのような止ねじ８０が取付孔７９を経由してダクトカバー取付部７６に締結される。これによって、ダクトカバー７７が、フレーム５４に取り付けられ、除去部７３と隔壁７４および導入部７５を全体的に音漏れしないよう塞ぐ。その後、後面パネル５３が後パネル収容部７１；７８に収容されてフレーム５４に接着剤で取り付けられることによって、バスレフダクト部７２は、除去部７３と隔壁７４および導入部７５によって、スピーカ設置部６３、前面パネル５２と後面パネル５３およびフレーム５４で囲まれた閉鎖空間Ｄ、バスレフ開口部５５を相互に繋ぐ、空気の振動による音の伝達路を形成する。
【００２２】
スピーカ設置部６３の内部には、スピーカ取付部８１が設けられる。スピーカ設置部６３の外部には、後カバー取付部８２が設けられる。低音スピーカ３０は、円錐形なコーン８３の後部に音響変換部８４を備え、コーン８３の前縁部から外側にフランジ８５を突出し、フランジ８５に複数のねじ挿入孔８６を備え、音響変換部８４が音響変換部８４から外側に突出した被覆電線からなる引出線８７から入力された音電流を機械的な振動に変換してコーン８３に伝達し、コーン８３が伝達された振動を低音波として拡大して放出する。引出線８７にはコネクタ８８が設けられる。そして、コーン８３が前側に向けられるように、低音スピーカ３０がフレーム５４の後側からスピーカ設置部６３に配置された場合、コーン８３および音響変換部８４がスピーカ設置部６３に接触せず、フランジ８５の前面がスピーカ取付部８１の裏面に接触する。そして、タッピングスクリューのような止ねじ８９が低音スピーカ３０の後側からねじ挿入孔８６を経由してスピーカ取付部８１に締結される。これによって、低音スピーカ３０が、スピーカ設置部６３から裏側に突出するように、スピーカ設置部６３に取り付けられる。
【００２３】
低音スピーカ３０には、スピーカ後カバー９０が被せられる。スピーカ後カバー９０は、前側に開口した箱形である。スピーカ後カバー９０の前側開口の周縁部には、取付部としてのねじ挿入孔９１が設けられる。スピーカ後カバー９０の後壁には、多数の貫通孔からなる放音孔部９２が設けられる。スピーカ後カバー９０が低音スピーカ３０に被せられる場合、コネクタ８８がスピーカ後カバー９０の前側から放音孔部９２を構成する１つの貫通孔に挿入されてスピーカ後カバー９０の後側に引き出されることによって、引出線８７がスピーカ後カバー９０の後壁に貫通させられる。そして、スピーカ後カバー９０が低音スピーカ３０の後側から低音スピーカ３０に被せられ、スピーカ後カバー９０の前側開口の周縁部がスピーカ設置部６３の裏面に接触され、タッピングスクリューのような止ねじ９３がスピーカ後カバー９０の後側からねじ挿入孔９１を経由して後カバー取付部８２に締結される。これによって、スピーカ後カバー９０がスピーカ設置部６３に取り付けられる。この最良の形態は、バスレフ開口部５５とスピーカ設置部６３およびバスレフダクト部７２がフレーム５４に設けられているので、バスレフ開口部５５とスピーカ設置部６３およびバスレフダクト部７２を図４の前面パネル５２に設ける場合に比べ、前面パネル５２の構造が簡単なものとなるという利点がある。
【００２４】
図４に示すように、前述したように構成された遊技音響装置を備えたパネル構造体２７のヒンジピン６１が、前扉４の裏面に設けられた図外のヒンジ孔に上方から嵌め込まれることによって、パネル構造体２７が前扉４の裏面に取り付けられる。ヒンジピン６１と図外のヒンジ孔とが図２のヒンジ２９を構成する。そして、図２に示すように、パネル構造体２７がヒンジ２９を中心として前扉４の裏側に閉じられ、掛止部材２８が遊技店の店員によって操作されて掛止受止部６２の裏面に掛け止められ、パネル構造体２７が前扉４の裏面に開閉不能に支持されると、パネル構造体２７が窓２４を裏側から塞ぎ、低音スピーカ３０の前側が前扉４で覆い隠される。
【００２５】
最良の形態によれば、図１に示すように、スピーカ逃避部４６が遊技盤３６に設けられているので、低音スピーカ３０がスピーカ設置部６３やパネル構造体２７から後側に突出しても、遊技盤３６の前面である遊技領域と後面パネル５３の裏面との間における球Ｐの落下する隙間９４が適切に確保できるという利点がある。これに対し、低音スピーカ３０をスピーカ設置部６３から裏側に突出するようにスピーカ設置部６３に設ける場合、遊技盤３６にスピーカ逃避部４６を設けずに、スピーカ設置部６３を遊技盤３６よりも左外側または上外側に位置するようにフレーム５４に設けることが考えられる。しかしながら、この場合、低音スピーカ３０を逃げるように、盤収容部７の裏面に取り付けられる図外の球払出機構を後方に移動する必要があり、球払出機構を後方に移動すると、遊技機枠１が遊技設置設備に取り付けられなくなるという問題が発生する。また、遊技盤３６にスピーカ逃避部４６を設けずに、スピーカ設置部６３を遊技盤３６よりも前側に位置するようにフレーム５４に設けることが考えられる。しかしながら、この場合、パネル構造体２７および前扉４を前方に移動する必要があり、パネル構造体２７および前扉４を前方に移動すると、隙間９４が広くなり過ぎ、隙間９４を落下する球Ｐが後面パネル５３に激しく衝突するという問題が発生する。
【００２６】
低音スピーカ３０のコーン８３から前側に放出された音は、空気の振動による音の矢印Ｘ１で示す伝達路により、スピーカ設置部６３の前側から、閉鎖空間Ｄ、バスレフダクト部７２、バスレフ開口部５５、低音放音孔部５０を順に経由し、前扉４の左右下部から前側に放出される。低音スピーカ３０のコーン８３から後側に放出された音は、空気の振動による音の矢印Ｘ２で示す伝達路により、スピーカ設置部６３の後側から、スピーカ後カバー９０、放音孔部９２、スピーカ逃避部４６を順に経由し、遊技盤３６の裏側に放出される。つまり、低音が低音スピーカ３０から閉鎖空間Ｄをエンクロージャとして利用し、バスレフダクト部７２とバスレフ開口部５５および低音放音孔部５０を経由して前扉４の下部前側に放出される。前扉４の下部前側に放出される低音による遊技の演出が遊技機枠１の前側で遊技を行う遊技者に適切に提供されるという利点がある。低音スピーカ３０の後側に放出される低音は、遊技機枠１の後側に放出されるので、前扉４の下部前側に放出される低音と打ち消しあうように干渉する不都合はないという利点がある。
【００２７】
前面パネル５２が張出部５６を備え、張出部５６がスピーカ設置部６３の前側に配置されているので、スピーカ設置部６３において、前パネル収容部５９および後パネル収容部７１が互いに前後方向で相対峙しないように位置がずれる。よって、前パネル収容部５９および後パネル収容部７１が互いに前後方向で相対峙した場合に比べ、前面パネル５２の裏面と後パネル収容部７１の前面との間の間隙Ｈ１が広くなる。このようにスピーカ設置部６３における間隙Ｈ１が広くなると、低音スピーカ３０のコーン８３から前側に放出された直後の音圧の高い音が広い間隙Ｈ１を通過するので、良好な低音がスピーカ設置部６３から閉鎖空間Ｄに放出されるという利点がある。低音スピーカ３０がスピーカ設置部６３から裏側に突出するようにスピーカ設置部６３に取り付けられているので、低音スピーカ３０が前扉４における裏側の空間を占有することがなく、前扉４における裏側の空間には、前扉４に必要な電気部品を適切に取り付けることができるという利点がある。
【００２８】
図１において、前扉４とパネル構造体２７との境を明確に示すために、パネル構造体２７の前面パネル５２の前面が窓２４を囲む前扉４の裏面から離れているように図示してあるが、パネル構造体２７が前扉４に開閉不能に閉じられた場合、前面パネル５２の前面が窓２４を囲む前扉４の裏面に接触する。
【産業上の利用可能性】
【００２９】
図５において、スピーカ前カバー６７は、止ねじ６９のような固着具を使用することなく、接着剤でスピーカ設置部６３に取り付けてもよい。図６において、ダクトカバー７７は、止ねじ８０のような固着具を使用することなく、接着剤でフレーム５４に取り付けてもよい。および低音スピーカ３０が前後方向に重ねられて配置される場所は、遊技機枠１の左上部に限定されるものではない。
【図面の簡単な説明】
【００３０】
【図１】図３のＡ−Ａ縦断面図（最良の形態）。
【図２】パチンコ遊技機の分解斜視図（最良の形態）。
【図３】パチンコ遊技機の正面図（最良の形態）。
【図４】前扉およびパネル構造体の分解斜視図（最良の形態）。
【図５】パネル構造体の前側の分解斜視図（最良の形態）。
【図６】パネル構造体の後側の分解斜視図（最良の形態）。
【符号の説明】
【００３１】
１    遊技機枠
４    前扉
２４  窓
２７  パネル構造体
３０  低音スピーカ
３６  遊技盤
４６  スピーカ逃避部
５０  低音放音孔部
５２  前面パネル
５３  後面パネル
５４  フレーム
５５  バスレフ開口部
７２  バスレフダクト部
９０  スピーカ後カバー
９２  放音孔部
Ｄ    閉鎖空間
【図１】
2007175100.tif 000003
【図２】
2007175100.tif 000004
【図３】
2007175100.tif 000005
【図４】
2007175100.tif 000006
【図５】
2007175100.tif 000007
【図６】
2007175100.tif 000008